(57)【要約】【課題】携帯電話と非接触カード型端末の双方のアプリケーションプログラムを連携して使用可能であり、用途に応じて必要なアプリケーションプログラムを用いて所望のプロトコルで外部と通信が可能な情報処理装置及びこれを用いた情報処理方法を提供する。【解決手段】異なる通信方式の端末１０、２０を組み合わせた情報処理装置としてのハイブリッド携帯通信端末により、携帯電話などが有するアプリケーションプログラムと、外部の通信端末３０と至近距離での非接触通信を行うことにより様々なデータ処理を行うためのアプリケーションプログラムとを連携して使用したり、必要に応じてこれらのアプリケーションプログラムを選択的に使用することを可能とする。【選択図】        図３
2004193808.tif 000002
【特許請求の範囲】
【請求項１】
第１の機器と、前記第１の機器に対して着脱可能に又は固定的に接続される第２の機器とを備えた情報処理装置であり、
前記第１の機器は、
前記第２の機器と通信を行う第２通信手段と、
第１のアプリケーションを格納する第１格納手段と、
前記第１のアプリケーションの実行制御、及び、前記第２通信手段と前記第１格納手段の制御を行う第１制御手段とを有し、
前記第２の機器は、
前記第１の機器と通信を行う第３通信手段と、
外部の通信端末との通信を行う第４通信手段と、
第２のアプリケーションを格納する第２格納手段と、
前記第２のアプリケーションの実行制御、及び、前記第３通信手段と前記第４通信手段と前記第２格納手段の制御を行う第２制御手段とを有する情報処理装置。
【請求項２】
前記第２制御手段は、前記第４通信手段より第１の処理要求を受信すると、その受信の前もしくは後に、前記第１の処理要求を処理するための前記第２のアプリケーションを起動し、
前記第２のアプリケーションは、前記第１の処理要求の全部又は一部が、前記第１のアプリケーションにより処理されるべき要求である第２の処理要求である場合、前記第２の処理要求を前記第３通信手段を介して前記第２通信手段へ送出し、
前記第１制御手段は、前記第２通信手段より前記第２の処理要求を受信すると、
その受信の前もしくは後に、前記第２の処理要求を処理するための前記第１のアプリケーションを起動し、
前記第１のアプリケーションは、前記第２の処理要求を処理し、その処理応答を前記第２通信手段を介して前記第３通信手段へ送出することを特徴とする請求項１に記載の情報処理装置。
【請求項３】
前記第２制御手段は、前記第４通信手段より第１の処理要求を受信すると、その受信の前もしくは後に、前記第１の処理要求を処理するための前記第２のアプリケーションを起動し、
前記第２のアプリケーションは、前記第１の処理要求を処理する上で必要な情報を取得させるための命令である第２の処理要求を生成し、前記第２の処理要求を、前記第３通信手段を介して前記第２通信手段へ送出し、
前記第１制御手段は、前記第２通信手段より受けた前記第２の処理要求を処理し、その処理応答を前記第２通信手段を介して前記第３通信手段へ送出することを特徴とする請求項１に記載の情報処理装置。
【請求項４】
前記第１の機器は、情報を出力する出力手段を有し、
前記第２制御手段は、前記第４通信手段より第１の処理要求を受信すると、
その受信の前もしくは後に、前記第１の処理要求を処理するための第２のアプリケーションを起動し、
前記第２のアプリケーションは、前記第１の処理要求の処理の結果、生成される情報を前記第３通信手段を介して前記第２通信手段へ送出し、
前記第１制御手段は、前記第２通信手段より受けた前記情報を前記出力手段へ送出することを特徴とする請求項１に記載の情報処理装置。
【請求項５】
前記第１の機器は、情報を出力する出力手段を有し、
前記第２制御手段は、前記第４通信手段より第１の処理要求を受信すると、
その受信の前もしくは後に、前記第１の処理要求を処理するための第２のアプリケーションを起動し、
前記第２のアプリケーションは、前記第１の処理要求の処理が完了すると、前記第１の処理要求に付加されている情報である付加情報を前記第３通信手段を介して前記第２通信手段へ送出し、
前記第１制御手段は、前記第２通信手段より受けた付加情報を前記出力手段へ送出することを特徴とする請求項１に記載の情報処理装置。
【請求項６】
前記第２の処理要求は、前記第１の処理要求を処理する上で必要な情報の取得を要求する命令であることを特徴とする、請求項２に記載の情報処理装置。
【請求項７】
前記第２の処理要求は、前記第１の処理要求中にてセキュアな処理をする上で必要な情報であるセキュア処理情報の取得を要求する命令であることを特徴とする、請求項２に記載の情報処理装置。
【請求項８】
前記第２の処理要求は、前記第１の処理要求中にて数量処理をする上で、不足している数量の補充を要求する命令であることを特徴とする、請求項２に記載の情報処理装置。
【請求項９】
前記第１の機器は、情報を出力する出力手段と、情報の入力を受け付ける入力手段を有し、
前記出力手段は、セキュア処理情報の入力を促す出力を行い、前記入力手段は、前記出力によって入力されるセキュア情報を受け付けることを特徴とする請求項７に記載の情報処理装置。
【請求項１０】
前記第１の機器は、外部の機器と通信を行う第１通信手段と、情報を出力する出力手段と、情報の入力を受け付ける入力手段を有し、
前記第１のアプリケーションは、前記第１通信手段によりネットワーク経由で所定のサーバと通信を行い、前記入力手段から受け付けた指示に従って、前記第２の処理要求を処理することを特徴とする請求項８に記載の情報処理装置。
【請求項１１】
第１の機器と、前記第１の機器に対して着脱可能に又は固定的に接続される第２の機器とを備えた情報処理装置であり、
前記第１の機器は、
前記第２の機器と通信を行う第２通信手段と、
当該情報処理装置の外部との通信を行う第３通信手段と、
第１のアプリケーションを格納する第１格納手段と、
前記第１のアプリケーションの実行制御、及び、前記第２通信手段と前記第３通信手段と前記第１格納手段の制御を行う第１制御手段とを有し、
前記第２の機器は、
前記第１の機器と通信を行う第４通信手段と、
第２のアプリケーションを格納する第２格納手段と、
前記第２のアプリケーションの実行制御、及び、前記第４通信手段と前記第２格納手段の制御を行う第２制御手段とを有する情報処理装置。
【請求項１２】
前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求の全部又は一部が、前記第１のアプリケーションにより処理されるべき要求である第２の処理要求である場合、前記第２の処理要求を前記第４通信手段を介して前記第２通信手段へ送出し、
前記第１制御手段は、前記第２通信手段より前記第２の処理要求を受信すると、
その受信の前もしくは後に、前記第２の処理要求を処理するための前記第１のアプリケーションを起動し、
前記第１のアプリケーションは、前記第２の処理要求を処理し、その処理結果である第２の処理応答を前記第２通信手段を介して前記第４通信手段へ送出し、
前記第４通信手段より前記第２の処理応答を受信すると、前記第２のアプリケーションは、前記第２の処理応答を利用して前記第１の処理要求を処理し、その処理結果である第１の処理応答を第４通信手段を介して前記第２通信手段へ送出し、
前記第１制御手段は、前記第２通信手段より前記第１の処理応答を受信すると、前記第１の処理応答を前記第３通信手段へ送出することを特徴とする請求項１１に記載の情報処理装置。
【請求項１３】
前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求を処理する上で必要な情報を取得させるための命令である第２の処理要求を生成し、前記第２の処理要求を、前記第４通信手段を介して前記第２通信手段へ送出し、
前記第１制御手段は、前記第２通信手段より受けた前記第２の処理要求を処理し、その処理結果である第２の処理応答を前記第２通信手段を介して前記第４通信手段へ送出し、
前記第４通信手段より前記第２の処理応答を受信すると、前記第２のアプリケーションは、前記第２の処理応答を利用して前記第１の処理要求を処理し、その処理結果である第１の処理応答を前記第４通信手段を介して前記第２通信手段へ送出し、
前記第１制御手段は、前記第２通信手段より前記第１の処理応答を受信すると、前記第１の処理応答を前記第３通信手段へ送出することを特徴とする請求項１１に記載の情報処理装置。
【請求項１４】
前記第１の機器は、情報を出力する出力手段を有し、
前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求の処理の結果、生成される情報を前記第４通信手段を介して前記第２通信手段へ送出し、
前記第１制御手段は、前記第２通信手段より受けた前記情報を前記出力手段へ送出することを特徴とする請求項１１に記載の情報処理装置。
【請求項１５】
前記第１の機器は、情報を出力する出力手段を有し、
前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求の処理が完了すると、前記第１の処理要求に付加されている情報である付加情報を前記第４通信手段を介して前記第２通信手段へ送出し、
前記第１制御手段は、前記第２通信手段より受けた付加情報を前記出力手段へ送出することを特徴とする請求項１１に記載の情報処理装置。
【請求項１６】
第１の機器と、前記第１の機器に対して着脱可能に又は固定的に接続される第２の機器とを備えた情報処理装置にて、前記第１の機器と第２の機器とが連携して外部からの処理要求を処理する情報処理方法であり、
前記第２の機器にて、
第３のプロトコルにより、外部の通信端末からの処理要求である第１の処理要求を受信する第１のステップと、
前記第１の処理要求を処理するための第２のアプリケーションを、前記第１のステップの前もしくは後に起動する第２のステップと、
前記第２のアプリケーションが、前記第１の処理要求の全部又は一部が、前記第１の機器にて処理されるべき要求である第２の処理要求を含むか否かを判断する第３のステップと、
前記第３のステップにて、含むと判断した場合、第２の処理要求を第２のプロトコルにより、前記第１の機器へ送出する第４のステップと、
第１の機器にて、
前記第２のプロトコルにより、前記第２の処理要求を受信する第５のステップと、
前記第２の処理要求を処理するための第１のアプリケーションを、前記第５のステップの前もしくは後に起動する第６のステップと、
前記第１のアプリケーションが、前記第２の処理要求を処理する第７のステップと、
前記第７のステップにおける処理結果である第２の処理応答を、前記第２のプロトコルにより前記第２の機器へ送出する第８のステップと、
前記第２の機器にて、
前記第２のプロトコルにより前記第２の処理応答を受信する第９のステップと、
前記第２のアプリケーションが、前記第２の処理応答を利用して前記第１の処理要求を処理する第１０のステップと、
前記第１０のステップにおける処理結果である第１の処理応答を、前記第３のプロトコルにより送信する第１１のステップとを、
有する情報処理方法。
【請求項１７】
第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第２の機器にて、
第３のプロトコルにより、外部の通信端末からの処理要求である第１の処理要求を受信する第１のステップと、
前記第１の処理要求を処理するための第２のアプリケーションを、前記第１のステップの前もしくは後に起動する第２のステップと、
前記第２のアプリケーションが、前記第１の処理要求を処理する上で不足している情報の有無、及び不足している場合、前記第１の機器からその情報の取得が必要かを判断する第３のステップと、
前記第３のステップにて、必要と判断した場合、その不足している情報の取得を要求する命令である第２の処理要求を生成する第４のステップと、
前記第２の処理要求を第２のプロトコルにより、前記第１の機器へ送出する第５のステップと、
前記第１の機器にて、
前記第２のプロトコルにより、前記第２の処理要求を受信する第６のステップと、
前記第２の処理要求を処理する第７のステップと、
前記第７のステップにおける処理結果である第２の処理応答を、前記第２のプロトコルにより前記第２の機器へ送出する第８のステップと、
前記第２の機器にて、
前記第２のプロトコルにより前記第２の処理応答を受け付ける第９のステップと、
前記第２のアプリケーションが、前記第２の処理応答を利用して前記第１の処理要求を処理する第１０のステップと、
前記第１０のステップにおける処理結果である第１の処理応答を、第３のプロトコルにより送信する第１１のステップとを、
有する情報処理方法。
【請求項１８】
第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第２の機器にて、
第３のプロトコルにより、外部の通信端末からの処理要求である第１の処理要求を受信する第１のステップと、
前記第１の処理要求を処理するための第２のアプリケーションを、前記第１のステップの前もしくは後に起動する第２のステップと、
前記第２のアプリケーションが、前記第１の処理要求を処理し、またその処理結果情報を生成する第３のステップと、
前記処理結果情報を第２のプロトコルにより、前記第１の機器へ送出する第４のステップと、
前記第１の機器にて、
前記第２のプロトコルにより、前記処理結果情報を受け付ける第５のステップと、
前記処理結果情報を出力する第６のステップとを、
有する情報処理方法。
【請求項１９】
第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第２の機器にて、
第３のプロトコルにより、外部の通信端末からの処理要求である第１の処理要求とそれに付加されている付加情報を受信する第１のステップと、
前記第１の処理要求を処理するための第２のアプリケーションを、前記第１のステップの前もしくは後に起動する第２のステップと、
前記第２のアプリケーションが、前記第１の処理要求を処理する第３のステップと、
付加情報を第２のプロトコルにより、前記第１の機器へ送出する第４のステップと、
前記第１の機器にて、
前記第２のプロトコルにより、前記付加情報を受け付ける第５のステップと、
前記付加情報を出力する第６のステップとを、
有する情報処理方法。
【請求項２０】
第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第１の機器にて、
第３のプロトコルにより、外部の通信端末からの処理要求である第１の処理要求を受信する第１のステップと、
前記第１の処理要求を、第２のプロトコルにより前記第２の機器へ送出する第２のステップと、
前記第２の機器にて、
前記第２のプロトコルにより前記第１の処理要求を受信する第３のステップと、
前記第１の処理要求を処理するための第２のアプリケーションを、前記第３のステップの前もしくは後に起動する第４のステップと、
前記第２のアプリケーションが、前記第１の処理要求の全部又は一部が、前記第１の機器にて処理されるべき要求である第２の処理要求を含むか否かを判断する第５のステップと、
前記第５のステップにて、含むと判断した場合、前記第２の処理要求を前記第２のプロトコルにより、前記第１の機器へ送出する第６のステップと、
前記第１の機器にて、
前記第２のプロトコルにより、前記第２の処理要求を受信する第７のステップと、
前記第２の処理要求を処理するための第１のアプリケーションを、前記第７のステップの前もしくは後に起動する第８のステップと、
前記第１のアプリケーションが、前記第２の処理要求を処理する第９のステップと、
前記第９のステップにおける処理結果である第２の処理応答を、前記第２のプロトコルにより前記第２の機器へ送出する第１０のステップと、
前記第２の機器にて、
前記第２のプロトコルにより前記第２の処理応答を受信する第１１のステップと、
前記第２のアプリケーションが、前記第２の処理応答を利用して前記第１の処理要求を処理する第１２のステップと、
前記第１２のステップにおける処理結果である第１の処理応答を、前記第２のプロトコルにより前記第１の機器へ送出する第１３のステップと、
前記第１の機器にて、
前記第２のプロトコルにより前記第１の処理応答を受信する第１４のステップと、
前記第３のプロトコルにより前記第１の処理応答を送信する第１５のステップとを、
有する情報処理方法。
【請求項２１】
請求項１から１５のいずれか１つに記載の前記第１の機器。
【請求項２２】
請求項１から１５のいずれか１つに記載の前記第２の機器。
【発明の詳細な説明】
【０００１】
【発明の属する技術分野】
本発明は、情報処理装置及び情報処理方法に関し、具体的には、例えば、携帯電話などに代表される通信端末に関し、特に異なる種類のプロトコルによる通信機能を組み合わせたハイブリッドな携帯通信端末及びかかるハイブリッドな携帯通信端末を用いた要求処理方法に関する。
【０００２】
【従来の技術】
いわゆるセルラフォンシステムの携帯電話の普及に伴い、様々なアプリケーションプログラムが携帯電話などの個人用携帯端末に搭載され、インターネットを経由して所望のサーバにアクセスすることが可能となっている。一方、アンテナコイルとＩＣを搭載した非接触カード型端末が実用化され、電車のプリペイドカードなどとして実際に使用されている（例えば下記特許文献１参照）。また、非接触ＩＣカードの通信方式として、例えばＩＳＯ１４４４３−Ｂなどが知られている。
【０００３】
【特許文献１】
特開２０００−１７２８０６号公報（図３、段落０００２〜０００４）
【０００４】
携帯電話やＰＤＡと言われる個人用携帯端末はインターネットに接続して様々な情報を取得するなど、その利用範囲は極めて広い。一方、非接触カード型端末は、セキュアカードなどと呼ばれるように、例えばプリペイドカードの場合なら、残高情報が高いセキュリティ保証の基に記憶されているので、その信頼性が高い。
【０００５】
【発明が解決しようとする課題】
しかし、携帯電話などの個人用携帯端末（本願では単に携帯電話とも言う）には、かかる非接触カード型端末が有している記憶内容の保証がないという問題があり、一方、非接触カード型端末には広範な相手との通信を行う機能が存在しない。このように、携帯電話と非接触カード型端末とは、それぞれ独自のアプリケーションプログラムを搭載しているが、これらが連携して用いられているわけではないから、携帯電話を用いて非接触カード型端末の有する記憶内容の保証が得られず、また非接触カード型端末を用いて広範な相手先との通信による情報の授受を行うことができない。
【０００６】
したがって、本発明は、携帯電話などの第２の機器と非接触カード型端末などの第１の機器の双方のアプリケーションプログラムを連携して使用可能であり、用途に応じて必要なアプリケーションプログラムを用いて所望のプロトコルで外部と通信が可能な情報処理装置（例えば、ハイブリッドな携帯通信端末）及びこれを用いた情報処理方法（例えば、要求処理方法）を提供することを目的とする。
【０００７】
【課題を解決するための手段】
本発明は、上記目的を達成するために、異なる通信方式の端末を組み合わせた情報処理装置としてのハイブリッドな携帯通信端末により、例えば、携帯電話などが有するアプリケーションプログラムと、外部の通信端末と至近距離での非接触通信を行うことにより様々なデータ処理を行うためのアプリケーションプログラムとを連携して使用したり、必要に応じてこれらのアプリケーションプログラムを選択的に使用することを可能とするものである。
【０００８】
すなわち請求項１に記載の本発明によれば、第１の機器と、前記第１の機器に対して着脱可能に又は固定的に接続される第２の機器とを備えた情報処理装置であり、
前記第１の機器は、
前記第２の機器と通信を行う第２通信手段と、
第１のアプリケーションを格納する第１格納手段と、
前記第１のアプリケーションの実行制御、及び、前記第２通信手段と前記第１格納手段の制御を行う第１制御手段とを有し、
前記第２の機器は、
前記第１の機器と通信を行う第３通信手段と、
外部の通信端末との通信を行う第４通信手段と、
第２のアプリケーションを格納する第２格納手段と、
前記第２のアプリケーションの実行制御、及び、前記第３通信手段と前記第４通信手段と前記第２格納手段の制御を行う第２制御手段とを有する情報処理装置が提供される。
【０００９】
この構成によれば、第１の機器と第２の機器のアプリケーションプログラムを適宜組み合わせたり、選択したりして所望の処理を高速に行うことが可能となる。
【００１０】
また請求項２に記載の本発明によれば、前記第２制御手段は、前記第４通信手段より第１の処理要求を受信すると、その受信の前もしくは後に、前記第１の処理要求を処理するための前記第２のアプリケーションを起動し、
前記第２のアプリケーションは、前記第１の処理要求の全部又は一部が、前記第１のアプリケーションにより処理されるべき要求である第２の処理要求である場合、前記第２の処理要求を前記第３通信手段を介して前記第２通信手段へ送出し、
前記第１制御手段は、前記第２通信手段より前記第２の処理要求を受信すると、
その受信の前もしくは後に、前記第２の処理要求を処理するための前記第１のアプリケーションを起動し、
前記第１のアプリケーションは、前記第２の処理要求を処理し、その処理応答を前記第２通信手段を介して前記第３通信手段へ送出することを特徴とする請求項１に記載の情報処理装置が提供される。
【００１１】
この構成によれば、第２の機器が受信した第１の処理要求に対し、その全部又は一部を第１の機器に処理させるため第２の処理要求を生成するようにしているので、２つのアプリケーションプログラムを効率的に連携させることができ、所望の処理を高速に行うことが可能となる。
【００１２】
また請求項３に記載の本発明によれば、前記第２制御手段は、前記第４通信手段より第１の処理要求を受信すると、その受信の前もしくは後に、前記第１の処理要求を処理するための前記第２のアプリケーションを起動し、
前記第２のアプリケーションは、前記第１の処理要求を処理する上で必要な情報を取得させるための命令である第２の処理要求を生成し、前記第２の処理要求を、前記第３通信手段を介して前記第２通信手段へ送出し、
前記第１制御手段は、前記第２通信手段より受けた前記第２の処理要求を処理し、その処理応答を前記第２通信手段を介して前記第３通信手段へ送出することを特徴とする請求項１に記載の情報処理装置が提供される。
【００１３】
この構成によれば、第２の機器が受信した第１の処理要求を処理するのに必要な情報を取得するための第２の処理要求を生成するようにしているので、２つのアプリケーションプログラムを効率的に連携させることができ、必要な情報を得て、所望の処理を高速に行うことが可能となる。
【００１４】
また請求項４に記載の本発明によれば、前記第１の機器は、情報を出力する出力手段を有し、
前記第２制御手段は、前記第４通信手段より第１の処理要求を受信すると、
その受信の前もしくは後に、前記第１の処理要求を処理するための第２のアプリケーションを起動し、
前記第２のアプリケーションは、前記第１の処理要求の処理の結果、生成される情報を前記第３通信手段を介して前記第２通信手段へ送出し、
前記第１制御手段は、前記第２通信手段より受けた前記情報を前記出力手段へ送出することを特徴とする請求項１に記載の情報処理装置が提供される。
【００１５】
この構成によれば、第１の機器と第２の機器の連携による処理結果を出力して、例えば表示させることができる。
【００１６】
また請求項５に記載の本発明によれば、前記第１の機器は、情報を出力する出力手段を有し、
前記第２制御手段は、前記第４通信手段より第１の処理要求を受信すると、
その受信の前もしくは後に、前記第１の処理要求を処理するための第２のアプリケーションを起動し、
前記第２のアプリケーションは、前記第１の処理要求の処理が完了すると、前記第１の処理要求に付加されている情報である付加情報を前記第３通信手段を介して前記第２通信手段へ送出し、
前記第１制御手段は、前記第２通信手段より受けた付加情報を前記出力手段へ送出することを特徴とする請求項１に記載の情報処理装置が提供される。
【００１７】
この構成によれば、第１の機器と第２の機器の連携による処理を行うとともに、付加情報を出力して、例えば表示させることができる。
【００１８】
また請求項６に記載の本発明によれば、前記第２の処理要求は、前記第１の処理要求を処理する上で必要な情報の取得を要求する命令であることを特徴とする、請求項２に記載の情報処理装置が提供される。
【００１９】
この構成によれば、第１の機器と第２の機器の連携による処理を行うとともに、処理要求を処理する上で必要な情報の取得も連携して行い、所望の処理を高速に行うことが可能となる。
【００２０】
また請求項７に記載の本発明によれば、前記第２の処理要求は、前記第１の処理要求中にてセキュアな処理をする上で必要な情報であるセキュア処理情報の取得を要求する命令であることを特徴とする、請求項２に記載の情報処理装置が提供される。
【００２１】
この構成によれば、第１の機器と第２の機器の連携による処理を行うとともに、処理要求を処理する上で必要なセキュア処理情報の取得も連携して行い、所望の処理を高速に行うことが可能となる。
【００２２】
また請求項８に記載の本発明によれば、前記第２の処理要求は、前記第１の処理要求中にて数量処理をする上で、不足している数量の補充を要求する命令であることを特徴とする、請求項２に記載の情報処理装置が提供される。
【００２３】
この構成によれば、第１の機器と第２の機器の連携による処理を行うとともに、数量の処理要求を処理する上で不足している数量の補充を連携して行い、所望の処理を高速に行うことが可能となる。
【００２４】
また請求項９に記載の本発明によれば、前記第１の機器は、情報を出力する出力手段と、情報の入力を受け付ける入力手段を有し、
前記出力手段は、セキュア処理情報の入力を促す出力を行い、前記入力手段は、前記出力によって入力されるセキュア情報を受け付けることを特徴とする請求項７に記載の情報処理装置が提供される。
【００２５】
この構成によれば、出力手段によりユーザに対してセキュア処理情報の入力を促すことが可能となり、ユーザは、入力手段によりセキュア処理情報を入力することが可能となる。
【００２６】
また請求項１０に記載の本発明によれば、前記第１の機器は、外部の機器と通信を行う第１通信手段と、情報を出力する出力手段と、情報の入力を受け付ける入力手段を有し、
前記第１のアプリケーションは、前記第１通信手段によりネットワーク経由で所定のサーバと通信を行い、前記入力手段から受け付けた指示に従って、前記第２の処理要求を処理することを特徴とする請求項８に記載の情報処理装置が提供される。
【００２７】
この構成によれば、入力手段から受け付けた指示に従って所定のサーバのアプリケーションプログラムと、第１の機器と第２の機器のアプリケーションプログラムを適宜組み合わせたり、選択したりして所望の処理を高速に行うことが可能となる。
【００２８】
また請求項１１に記載の本発明によれば、第１の機器と、前記第１の機器に対して着脱可能に又は固定的に接続される第２の機器とを備えた情報処理装置であり、
前記第１の機器は、
前記第２の機器と通信を行う第２通信手段と、
当該情報処理装置の外部との通信を行う第３通信手段と、
第１のアプリケーションを格納する第１格納手段と、
前記第１のアプリケーションの実行制御、及び、前記第２通信手段と前記第３通信手段と前記第１格納手段の制御を行う第１制御手段とを有し、
前記第２の機器は、
前記第１の機器と通信を行う第４通信手段と、
第２のアプリケーションを格納する第２格納手段と、
前記第２のアプリケーションの実行制御、及び、前記第４通信手段と前記第２格納手段の制御を行う第２制御手段とを有する情報処理装置が提供される。
【００２９】
この構成によれば、第１の機器と第２の機器のアプリケーションプログラムを適宜組み合わせたり、選択したりして所望の処理を高速に行うことが可能となる。
【００３０】
また請求項１２に記載の本発明によれば、前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求の全部又は一部が、前記第１のアプリケーションにより処理されるべき要求である第２の処理要求である場合、前記第２の処理要求を前記第４通信手段を介して前記第２通信手段へ送出し、
前記第１制御手段は、前記第２通信手段より前記第２の処理要求を受信すると、
その受信の前もしくは後に、前記第２の処理要求を処理するための前記第１のアプリケーションを起動し、
前記第１のアプリケーションは、前記第２の処理要求を処理し、その処理結果である第２の処理応答を前記第２通信手段を介して前記第４通信手段へ送出し、
前記第４通信手段より前記第２の処理応答を受信すると、前記第２のアプリケーションは、前記第２の処理応答を利用して前記第１の処理要求を処理し、その処理結果である第１の処理応答を第４通信手段を介して前記第２通信手段へ送出し、
前記第１制御手段は、前記第２通信手段より前記第１の処理応答を受信すると、前記第１の処理応答を前記第３通信手段へ送出することを特徴とする請求項１１に記載の情報処理装置が提供される。
【００３１】
この構成によれば、第１の機器が受信した第１の処理要求に対し、その全部又は一部を第２の機器に処理させるため第２の処理要求を生成するようにしているので、２つのアプリケーションプログラムを効率的に連携させることができ、所望の処理を高速に行うことが可能となる。
【００３２】
また請求項１３に記載の本発明によれば、前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求を処理する上で必要な情報を取得させるための命令である第２の処理要求を生成し、前記第２の処理要求を、前記第４通信手段を介して前記第２通信手段へ送出し、
前記第１制御手段は、前記第２通信手段より受けた前記第２の処理要求を処理し、その処理結果である第２の処理応答を前記第２通信手段を介して前記第４通信手段へ送出し、
前記第４通信手段より前記第２の処理応答を受信すると、前記第２のアプリケーションは、前記第２の処理応答を利用して前記第１の処理要求を処理し、その処理結果である第１の処理応答を前記第４通信手段を介して前記第２通信手段へ送出し、
前記第１制御手段は、前記第２通信手段より前記第１の処理応答を受信すると、前記第１の処理応答を前記第３通信手段へ送出することを特徴とする請求項１１に記載の情報処理装置が提供される。
【００３３】
この構成によれば、第１の機器が受信した第１の処理要求を処理するのに必要な情報を取得するための第２の処理要求を生成するようにしているので、２つのアプリケーションプログラムを効率的に連携させることができ、必要な情報を得て、所望の処理を高速に行うことが可能となる。
【００３４】
また請求項１４に記載の本発明によれば、前記第１の機器は、情報を出力する出力手段を有し、
前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求の処理の結果、生成される情報を前記第４通信手段を介して前記第２通信手段へ送出し、
前記第１制御手段は、前記第２通信手段より受けた前記情報を前記出力手段へ送出することを特徴とする請求項１１に記載の情報処理装置が提供される。
【００３５】
この構成によれば、第１の機器と第２の機器の連携による処理結果を出力して、例えば表示させることができる。
【００３６】
また請求項１５に記載の本発明によれば、前記第１の機器は、情報を出力する出力手段を有し、
前記第１制御手段は、前記第３通信手段より第１の処理要求を受信すると、前記第２通信手段を介して前記第４通信手段へ前記第１の処理要求を送出し、
前記第２制御手段は、前記第４通信手段より前記第１の処理要求を受信すると、
その受信の前もしくは後に、前記第１の処理要求を処理するための第２のアプリケーションを起動し、
前記第２のアプリケーションは、前記第１の処理要求の処理が完了すると、前記第１の処理要求に付加されている情報である付加情報を前記第４通信手段を介して前記第２通信手段へ送出し、
前記第１制御手段は、前記第２通信手段より受けた付加情報を前記出力手段へ送出することを特徴とする請求項１１に記載の情報処理装置が提供される。
【００３７】
この構成によれば、第１の機器と第２の機器の連携による処理を行うとともに、付加情報を出力して、例えば表示させることができる。
この構成によれば、第１の機器と第２の機器の連携による処理を行うとともに、処理要求を処理する上で必要な情報の取得も連携して行い、所望の処理を高速に行うことが可能となる。
【００３８】
また請求項１６に記載の本発明によれば、第１の機器と、前記第１の機器に対して着脱可能に又は固定的に接続される第２の機器とを備えた情報処理装置にて、前記第１の機器と第２の機器とが連携して外部からの処理要求を処理する情報処理方法であり、
前記第２の機器にて、
第３のプロトコルにより、外部の通信端末からの処理要求である第１の処理要求を受信する第１のステップと、
前記第１の処理要求を処理するための第２のアプリケーションを、前記第１のステップの前もしくは後に起動する第２のステップと、
前記第２のアプリケーションが、前記第１の処理要求の全部又は一部が、前記第１の機器にて処理されるべき要求である第２の処理要求を含むか否かを判断する第３のステップと、
前記第３のステップにて、含むと判断した場合、第２の処理要求を第２のプロトコルにより、前記第１の機器へ送出する第４のステップと、
第１の機器にて、
前記第２のプロトコルにより、前記第２の処理要求を受信する第５のステップと、
前記第２の処理要求を処理するための第１のアプリケーションを、前記第５のステップの前もしくは後に起動する第６のステップと、
前記第１のアプリケーションが、前記第２の処理要求を処理する第７のステップと、
前記第７のステップにおける処理結果である第２の処理応答を、前記第２のプロトコルにより前記第２の機器へ送出する第８のステップと、
前記第２の機器にて、
前記第２のプロトコルにより前記第２の処理応答を受信する第９のステップと、
前記第２のアプリケーションが、前記第２の処理応答を利用して前記第１の処理要求を処理する第１０のステップと、
前記第１０のステップにおける処理結果である第１の処理応答を、前記第３のプロトコルにより送信する第１１のステップとを、
有する情報処理方法が提供される。
【００３９】
この構成によれば、第１の機器と第２の機器のアプリケーションプログラムを適宜組み合わせたり、選択したりして所望の処理を高速に行うことが可能となる。
【００４０】
また請求項１７に記載の本発明によれば、第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第２の機器にて、
第３のプロトコルにより、外部の通信端末からの処理要求である第１の処理要求を受信する第１のステップと、
前記第１の処理要求を処理するための第２のアプリケーションを、前記第１のステップの前もしくは後に起動する第２のステップと、
前記第２のアプリケーションが、前記第１の処理要求を処理する上で不足している情報の有無、及び不足している場合、前記第１の機器からその情報の取得が必要かを判断する第３のステップと、
前記第３のステップにて、必要と判断した場合、その不足している情報の取得を要求する命令である第２の処理要求を生成する第４のステップと、
前記第２の処理要求を第２のプロトコルにより、前記第１の機器へ送出する第５のステップと、
前記第１の機器にて、
前記第２のプロトコルにより、前記第２の処理要求を受信する第６のステップと、
前記第２の処理要求を処理する第７のステップと、
前記第７のステップにおける処理結果である第２の処理応答を、前記第２のプロトコルにより前記第２の機器へ送出する第８のステップと、
前記第２の機器にて、
前記第２のプロトコルにより前記第２の処理応答を受け付ける第９のステップと、
前記第２のアプリケーションが、前記第２の処理応答を利用して前記第１の処理要求を処理する第１０のステップと、
前記第１０のステップにおける処理結果である第１の処理応答を、第３のプロトコルにより送信する第１１のステップとを、
有する情報処理方法が提供される。
【００４１】
この構成によれば、第１の機器と第２の機器の連携による処理を行うとともに、数量の処理要求を処理する上で不足している数量の補充を連携して行い、所望の処理を高速に行うことが可能となる。
【００４２】
また請求項１８に記載の本発明によれば、第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第２の機器にて、
第３のプロトコルにより、外部の通信端末からの処理要求である第１の処理要求を受信する第１のステップと、
前記第１の処理要求を処理するための第２のアプリケーションを、前記第１のステップの前もしくは後に起動する第２のステップと、
前記第２のアプリケーションが、前記第１の処理要求を処理し、またその処理結果情報を生成する第３のステップと、
前記処理結果情報を第２のプロトコルにより、前記第１の機器へ送出する第４のステップと、
前記第１の機器にて、
前記第２のプロトコルにより、前記処理結果情報を受け付ける第５のステップと、
前記処理結果情報を出力する第６のステップとを、
有する情報処理方法が提供される。
【００４３】
この構成によれば、第１の機器と第２の機器のアプリケーションプログラムを適宜組み合わせたり、選択したりして所望の処理を高速に行うことが可能となる。
【００４４】
また請求項１９に記載の本発明によれば、第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第２の機器にて、
第３のプロトコルにより、外部の通信端末からの処理要求である第１の処理要求とそれに付加されている付加情報を受信する第１のステップと、
前記第１の処理要求を処理するための第２のアプリケーションを、前記第１のステップの前もしくは後に起動する第２のステップと、
前記第２のアプリケーションが、前記第１の処理要求を処理する第３のステップと、
付加情報を第２のプロトコルにより、前記第１の機器へ送出する第４のステップと、
前記第１の機器にて、
前記第２のプロトコルにより、前記付加情報を受け付ける第５のステップと、
前記付加情報を出力する第６のステップとを、
有する情報処理方法が提供される。
【００４５】
この構成によれば、第１の機器と第２の機器の連携による処理を行うとともに、付加情報を出力して、例えば表示させることができる。
【００４６】
また請求項２０に記載の本発明によれば、第１の機器と、前記第１の機器に対して着脱可能に又は固定的に接続される第２の機器とを備えた情報処理装置にて、前記第１の機器と前記第２の機器とが連携して外部からの処理要求を処理する情報処理方法であり、
前記第１の機器にて、
第３のプロトコルにより、外部の通信端末からの処理要求である第１の処理要求を受信する第１のステップと、
前記第１の処理要求を、第２のプロトコルにより前記第２の機器へ送出する第２のステップと、
前記第２の機器にて、
前記第２のプロトコルにより前記第１の処理要求を受信する第３のステップと、
前記第１の処理要求を処理するための第２のアプリケーションを、前記第３のステップの前もしくは後に起動する第４のステップと、
前記第２のアプリケーションが、前記第１の処理要求の全部又は一部が、前記第１の機器にて処理されるべき要求である第２の処理要求を含むか否かを判断する第５のステップと、
前記第５のステップにて、含むと判断した場合、前記第２の処理要求を前記第２のプロトコルにより、前記第１の機器へ送出する第６のステップと、
前記第１の機器にて、
前記第２のプロトコルにより、前記第２の処理要求を受信する第７のステップと、
前記第２の処理要求を処理するための第１のアプリケーションを、前記第７のステップの前もしくは後に起動する第８のステップと、
前記第１のアプリケーションが、前記第２の処理要求を処理する第９のステップと、
前記第９のステップにおける処理結果である第２の処理応答を、前記第２のプロトコルにより前記第２の機器へ送出する第１０のステップと、
前記第２の機器にて、
前記第２のプロトコルにより前記第２の処理応答を受信する第１１のステップと、
前記第２のアプリケーションが、前記第２の処理応答を利用して前記第１の処理要求を処理する第１２のステップと、
前記第１２のステップにおける処理結果である第１の処理応答を、前記第２のプロトコルにより前記第１の機器へ送出する第１３のステップと、
前記第１の機器にて、
前記第２のプロトコルにより前記第１の処理応答を受信する第１４のステップと、
前記第３のプロトコルにより前記第１の処理応答を送信する第１５のステップとを、
有する情報処理方法が提供される。
【００４７】
この構成によれば、第１の機器が受信した第１の処理要求を第２の機器に処理させるため第２の機器に送出し、第２の機器は、第１の処理要求の全部又は一部を第２の機器に処理させるべく、第２の処理要求を第１の機器に送出するようにしているので、２つのアプリケーションプログラムを効率的に連携させることができ、所望の処理を高速に行うことが可能となる。
【００４８】
また請求項２１に記載の本発明によれば、請求項１から１５のいずれか１つに記載の前記第１の機器が提供される。
【００４９】
この構成によれば、第１の機器を第２の機器と組み合わせることで、双方のアプリケーションプログラムを適宜組み合わせたり、選択したりして所望の処理を高速に行うことが可能となる。
【００５０】
また請求項２２に記載の本発明によれば、請求項１から１５のいずれか１つに記載の前記第２の機器が提供される。
【００５１】
この構成によれば、第２の機器を第１の機器と組み合わせることで、双方のアプリケーションプログラムを適宜組み合わせたり、選択したりして所望の処理を高速に行うことが可能となる。
【００５２】
【発明の実施の形態】
以下、本発明の情報処理装置（例えば、携帯端末とカードなどを連携接続させたハイブリッドな携帯通信端末）及びこれを用いた情報処理方法（例えば、要求処理方法）の好ましい実施の形態について、図１から図１４を用いて説明する。
【００５３】
＜第１の実施の形態の基本構成＞
本発明の情報処理装置の第１の実施の形態の基本構成について図１により説明する。本発明の情報処理装置７０の第１の実施の形態の基本構成は、外部からの処理要求を受信し処理する第２の機器２０と、これと連携する第１の機器１０を有し、この２つの機器が連携して当該処理要求を処理するものである。なお、ここで「連携」とは、第２の機器２０へ要求された処理の一部を第１の機器１０がサポートするような場合は勿論のこと、第２の機器２０が実質何も処理することなくその処理要求を第１の機器１０へスルーして、第１の機器１０が処理する場合や、第２の機器２０の処理結果を第１の機器１０にて出力する場合や、処理要求の処理内容とは必ずしも実質的な関連が高くない付加情報を第１の機器１０にて出力する場合など、何らかのアクションを第１の機器１０へ行う場合を広く含んだことを意味するものとする。
【００５４】
図１の情報処理装置７０は、大きくは、上述のように第１の機器１０（例えば携帯端末、携帯電話など）と、耐タンパ（Ｔａｍｐｅｒ  Ｒｅｓｉｓｔ）な記憶領域を有し第１の機器１０に対して着脱可能に又は固定的に接続される第２の機器２０（例えばＩＣカードなど）とを備えおり、また、
第１の機器１０は、第１のプロトコルにより通信を行う第１通信手段（例えばサーバとの無線通信を行うための通信部とアンテナなど）と、第２のプロトコルにより通信を行う第２通信手段（例えば第２の機器とのデータ送受信を行うための接触Ｉ／Ｆなど）と、第１のアプリケーションを格納する第１格納手段（例えば携帯アプリケーション）と、第１のアプリケーションの実行制御、及び、第１通信手段と第２通信手段と第１格納手段の制御を行う第１制御手段（例えば第１の機器１０のＣＰＵなど）とを有し、
第２の機器２０（例えばＩＣカードなど）は、第２のプロトコルにより、第１の機器１０と通信を行う第３通信手段（例えば第１の機器１０とのデータ送受信を行うための接触Ｉ／Ｆ）と、第３のプロトコルにより通信を行う第４通信手段（例えば改札機，ＰＯＳほか外部端末との至近距離通信などを行うための非接触Ｉ／Ｆなど）と、第２のアプリケーションを格納する第２格納手段（例えばカード・アプリケーション）と、第２のアプリケーションの実行制御、及び、第３通信手段と第４通信手段と第２格納手段の制御を行う第２制御手段（例えば第２の機器のＣＰＵなど）とを有している。
以下では、代表的な例として、第１の機器１０を携帯電話、第２の機器２０をＩＣカードとし、第１、２の機器連携について説明することとする。
【００５５】
（１）
第２の機器２０（ＩＣカード）は、第４通信手段（非接触Ｉ／Ｆ）より外部からの処理要求である第１の処理要求（改札処理要求、決済処理要求など）を受けると、その前後のタイミングにて第２のアプリケーションプログラム（単にアプリケーション、あるいはカードアプリとも言う）を起動し、第２のアプリケーションは、第１の処理要求の▲１▼全部又は▲２▼一部が、第１のアプリケーションプログラム（単にアプリケーション、あるいは携帯アプリとも言う）により処理されるべき要求である第２の処理要求である場合、第２の処理要求を第３通信手段（接触Ｉ／Ｆ）を介して第１の機器１０（携帯端末）へ送出し、第１の機器１０（携帯のＣＰＵ）は、第２通信手段（接触Ｉ／Ｆ）より第２の処理要求を受けると、その前後のタイミングにて第１のアプリケーション（携帯アプリ）を起動し、第１のアプリケーションは、第２の処理要求を処理し、その処理応答を第２通信手段（接触Ｉ／Ｆ）を介して第２の機器２０（ＩＣカード）へ送出することにより連携を取るような場合が考えられる。
なお、前述の▲１▼全部の場合とは、外部からの処理要求を処理するべき主体が、第２の機器２０ではなく第１の機器１０で、この場合、第２の機器２０は第１の処理要求をスルーして第１の機器１０へ転送することになる。
【００５６】
ここでは、▲２▼一部の場合、つまり外部からの処理要求を処理するべき主体が、第２の機器２０で、第１の機器１０には、第２の処理要求（第２の機器２０だけでは処理できない処理、第２の機器２０だけでは必要な情報が入手できない処理など）についてサポートする場合について、以下説明する。
【００５７】
第２の処理要求の例としては、第１の処理要求として、（１−１）ＰＯＳ端末との決済処理にあたり、高額決済となった場合、その認証をとるための処理や、（１−２）度数処理をするにあたり、必要な度数が足りない場合に、度数のチャージを行うための処理などがある。
【００５８】
（１−１）セキュア処理による連携
第２の機器２０であるＩＣカードにて決済処理を行うにあたり、ある一定額以上の決済が生じた場合、この認証に必要な処理であるセキュア処理情報の入手を第１の機器１０である携帯端末へ要求する場合、第１のアプリケーションである携帯アプリが、携帯端末内に保持されている証明書の取得を要求し、入手した証明書から認証処理を行う場合や、携帯端末の利用者から個人識別番号であるＰＩＮやパスワードなどを取得し、その情報から認証処理を行う場合がなどが考えられる。つまり、ここでは第２の機器２０であるＩＣカードがセキュアな処理を行う上で必要なセキュア処理情報（証明書やＰＩＮ／パスワードなど）の取得を第１の機器１０に要求することにより、第１、２の機器は連携処理していることになる。
【００５９】
（１−２）不足情報補完処理による連携
第２の機器２０であるＩＣカードにて度数ほか数量処理などを行うにあたり、度数の不足が生じた場合、この不足分度数のチャージを第１の機器１０である携帯端末へ要求する場合、第１のアプリケーションである携帯アプリが、度数チャージの処理を実行し、例えば、所定のサーバとの通信により度数チャージを行う場合などが考えられる。つまり、ここでは第２の機器２０であるＩＣカードが不足情報の補完処理を第１の機器１０に要求することにより、第１、２の機器は連携処理していることになる。
【００６０】
（２）
上記（１）第２の処理要求（第２の機器２０だけでは処理できない処理、第２の機器２０だけでは必要な情報が入手できない処理など）についてサポート処理を、第１の機器１０内にある第１のアプリケーションが行う場合について説明したが、第２のアプリケーションが第１のアプリに相当する命令を動的に生成し、第１の機器１０へ送信し、第１の機器１０にて処理し応答するような場合もありうる。この場合、第１の機器１０では第１のアプリケーションに相当するものは特に必要でない。
【００６１】
（３）結果通知による連携
第２の機器２０（ＩＣカード）は、第４通信手段（非接触Ｉ／Ｆ）より第１の処理要求（外部からの処理要求）を受けると、その前後のタイミングにて第２のアプリケーション（カード・アプリ）を起動し、第２のアプリケーションは、第１の処理要求の処理の結果、生成される結果情報を第３通信手段（接触Ｉ／Ｆ）を介して第１の機器１０（携帯端末）へ送出し、第１の機器１０（携帯端末）は、第２通信手段（接触Ｉ／Ｆ）より受けた結果情報を出力手段へ送出（例えば画面表示、音声出力、印刷）することにより連携を取るような場合が考えられる。
【００６２】
このようなものとしては、ＩＣカードでの処理結果の通知、正常完了した旨を通知するものや、エラー通知（例えば数量処理などで度数が足りなかった旨を通知）、また、決済処理によって生成される電子レシート表示や残高通知などがある。
【００６３】
（４）付加情報出力による連携
第２の機器２０（ＩＣカード）は、第４通信手段（非接触Ｉ／Ｆ）より第１の処理要求（外部からの処理要求）を受けると、その前後のタイミングにて第２のアプリケーション（カード・アプリ）を起動し、第２のアプリケーションは、第１の処理要求の処理が完了すると、第１の処理要求に付加されている情報である付加情報を第３通信手段（接触Ｉ／Ｆ）を介して第１の機器１０（携帯端末）へ送出し、第１の機器１０（携帯端末）は、第２通信手段（接触Ｉ／Ｆ）より受けた付加情報を出力手段へ送出（例えば画面表示、音声出力、印刷）する、ことにより連携を取るような場合が考えられる。
【００６４】
このようなものとしては、改札処理のついでに広告などを見せたい場合（例えば関連アーティストや同レコード会社の新譜情報の宣伝）や、会社への入館処理のついでに本日の行事予定・ニュースなどを見せたい場合などがある。なお、この付加情報を出力するまでのやり方としては、外部からの処理要求に付加させるのではなく、第２の機器２０（ＩＣカード）にて処理が完了してから、はじめて外部の端末から取得し、第１の機器１０（携帯端末）へ出力するようなやり方でも一向に構わない。なお、第１通信手段は、前述の（１−２）のようなケース以外では、特に必要なものではない。
【００６５】
＜第２の実施の形態の基本構成＞
本発明の情報処理装置の第２の実施の形態の基本構成について図２により説明する。本発明の情報処理装置７０の第２の実施の形態の基本構成は、外部からの処理要求を受信し処理する第１の機器１０Ａと、これと連携する第２の機器２０Ａを有し、この２つの機器が連携して当該処理要求を処理するものである。第１の実施の形態の基本構成（図１）と異なるのは、外部からの処理要求を最初に受信するのが第２の機器２０Ａではなく、第１の機器１０Ａである点である。このように、第２の実施の形態の基本構成における情報処理装置は、第１の実施の形態の基本構成における情報処理装置７０とは、構成がやや異なるが、便宜上同一の参照番号７０を付して説明する。
【００６６】
図２の情報処理装置７０は、大きくは、第１の機器１０Ａ（例えば携帯端末、携帯電話など）と、耐タンパな記憶領域を有し第１の機器１０Ａに対して着脱可能に又は固定的に接続される第２の機器２０Ａ（例えばＩＣカードなど）とを備えおり、また、
第１の機器１０Ａは、第１のプロトコルにより通信を行う第１通信手段（例えばサーバとの無線通信を行うためのアンテナなど）と、第２のプロトコルにより通信を行う第２通信手段（例えば第２の機器２０Ａとのデータ送受信を行うための接触Ｉ／Ｆなど）と、第３のプロトコルにより通信を行う第３通信手段（例えば改札機，ＰＯＳほか外部端末との至近距離通信などを行うための非接触Ｉ／Ｆなど）と、第１のアプリケーションを格納する第１格納手段（例えば携帯アプリケーション）と、第１のアプリケーションの実行制御、及び、第１通信手段と第２通信手段と第３通信手段と第１格納手段の制御を行う第１制御手段（例えば第１の機器１０ＡのＣＰＵなど）とを有し、
第２の機器２０Ａ（例えばＩＣカードなど）は、第２のプロトコルにより、第１の機器１０Ａと通信を行う第４通信手段（例えば第１の機器１０Ａとのデータ送受信を行うための接触Ｉ／Ｆ）と、第２のアプリケーションを格納する第２格納手段（例えばカード・アプリケーション）と、第２のアプリケーションの実行制御、及び、第４通信手段と第２格納手段の制御を行う第２制御手段（例えば第２の機器２０ＡのＣＰＵなど）とを有している。
【００６７】
以下では、代表的な例として、第１の実施の形態の基本構成と同様に、第１の機器１０Ａを携帯端末、第２の機器２０ＡをＩＣカードとし、第１、２の機器連携について説明することとする。なお、ここで第１の実施の形態の基本構成（図１）との大きな違いは、
（イ）外部からの処理要求をまずは第１の機器１０Ａ（携帯端末）にて受信するため、その処理要求を第２の機器２０Ａ（ＩＣカード）へ転送する点［すなわち、第３通信手段（非接触Ｉ／Ｆ）より受信した第１の処理要求（外部からの処理要求）を第２の通信手段（接触Ｉ／Ｆ）を介して、第４通信手段（携帯端末の接触Ｉ／Ｆ）へ送出する点］、
（ロ）第２の機器２０Ａ（ＩＣカード）では、外部処理要求の処理結果を、外部端末に対して直接送信する通信手段を有していないため、いったん第１の機器１０Ａ（携帯端末）へ送信し、第１の機器１０Ａから外部端末へその結果を送信してもらう点［すなわち、第１の処理要求の処理結果を第４通信手段（接触Ｉ／Ｆ）を介して、第２通信手段（携帯端末の接触Ｉ／Ｆ）へ送出し、第２通信手段より受信した処理結果を、第３通信手段（非接触Ｉ／Ｆ）を介して外部端末へ送信する点］であり、
上記（イ）、（ロ）の間で生じる第１、２機器の連携処理（すなわち第４通信手段（ＩＣカードの接触Ｉ／Ｆ）から第２通信手段（携帯端末の接触Ｉ／Ｆ）への第２の処理要求に関するやりとり［上記（１）相当の場合］や、第２処理要求相当の命令の動的生成・送信に関するやりとり［上記（２）相当の場合］や、結果通知に関するやりとり［上記（３）相当の場合］や、付加情報出力に関するやりとり［上記（４）相当の場合］など）は、第１の実施の形態の基本構成と同じである。
【００６８】
また、上記（イ）の段階にて、外部処理要求を第２の機器２０Ａ（ＩＣカード）へ転送する方法として、無条件で転送してしまう場合や、まずは第１の機器１０Ａ（携帯端末）にて処理するべき命令であるか否かの判断を行い、第２の機器２０Ａ（ＩＣカード）にて処理すべき命令と判断した場合にはじめて転送する場合などが考えられるが、どちらでも一向に構わず、本実施の形態ではいずれも含むものとして、説明は省略する。
【００６９】
なお、第１、２機器の連携処理の４番目である付加情報を出力するまでのやり方としては、外部からの処理要求に付加されている場合には、第１の機器１０Ａ（携帯端末）を経由して、第２の機器２０Ａ（ＩＣカード）まで送出し、処理が完了したら、第１の機器１０Ａへ送出し出力したり、第２の機器２０Ａには送出せずに第１の機器１０Ａにて保持し、第２の機器２０Ａにて処理が完了したら、その旨を通知し第１の機器１０Ａにて出力したり、外部からの処理要求に付加されていない場合には、第２の機器２０Ａ（ＩＣカード）にて処理が完了してから、はじめて外部の端末から取得し、第１の機器１０Ａ（携帯端末）で出力するようなやり方でも一向に構わない。
【００７０】
なお、第１の実施の形態の基本構成（図１）と第２の実施の形態の基本構成（図２）とで比べた場合、後者は、上記（イ）、（ロ）のように処理のやりとりが多く発生し、また、第１の機器１０Ａ（携帯端末）は通電しておかないと第１の処理要求を受信し損ねるなどの短所がある反面、第２の機器２０Ａ（コスト高なＩＣカード）のインターフェイスが１つ（携帯端末との第４通信手段である接触Ｉ／Ｆ）ですむため、コストを低くすることが出来るなどの長所がある。
【００７１】
一方、前者は、第２の機器２０Ａ（コスト高なＩＣカード）のインターフェイスが複数（携帯端末との第３通信手段である接触Ｉ／Ｆ、外部端末との第４通信手段である非接触Ｉ／Ｆ）となるため、若干のコスト高となるなどの短所がある反面、第２の機器２０ＡをＩＣカードとすることにより、電磁誘導などにより電源の供給が可能なため、節電ができる点や、上記（イ）、（ロ）のような処理ステップが発生しない点などの長所がある。
【００７２】
＜第１の実施の形態＞
上記第１の実施の形態の基本形態に基づいた本発明のハイブリッドな携帯通信端末の第１の実施の形態を図３を用いて説明する。図３は第１の実施の形態のハードウェア構成とその周辺の構成を示している。図３において、本発明のハイブリッドな携帯通信端末７０は、個人信託装置（ＰＴＤ：パーソナル・トラステッド・デバイス）１０と、セキュアカード端末（ＳＥ）２０とを有している。個人信託装置１０としては、公知のセルラフォンシステム（携帯電話とＰＨＳを含む）の携帯端末を改変して用いることが可能である。また、セキュアカード端末２０としては、至近距離での電磁誘導通信方式を採用するいわゆる非接触型ＩＣカードを改変して用いることが可能である。本願においては、個人信託装置１０を単にＰＴＤ１０とし、セキュアカード端末２０をＳＥ２０として簡略して表記する。
【００７３】
図３において、サーバ４０はＰＴＤ１０が通信業者であるキャリア４４の施設とインターネット４２を介して接続可能な所定の情報供給源／データ処理装置である。サーバ４０からキャリア４４までの構成は従来からある既存のシステムであるので詳述しない。図３中の、ローカルサーバ３０は外部の通信端末であり、前述の至近距離での電磁誘導通信方式を採用するものである。かかる外部の通信端末としてのローカルサーバ３０は、例えば駅の改札口に設けられたＩＣカード用非接触型（又は軽接触型）通信端末と同様のものであり、内部にはプログラムやデータを記憶しているメモリ３３と、インターフェイス（Ｉ／Ｆ）３１と、これらを制御するＣＰＵ（中央演算処理装置）３２が設けられている。
【００７４】
ＰＴＤ１０は、通常の携帯電話や携帯端末が有する基本的機能を実行できるように、周知の携帯電話と同様のアンテナ１１、通信部１２、ＣＰＵ１３、メモリ１４、表示部１５、操作部１６を有している。アンテナ１１、通信部１２、メモリ１４、表示部１５、操作部１６は、全てＣＰＵ１３に接続されている（実際の接続はバスラインやインターフェイスを介して行われる）。なお、バッテリも内蔵されているが図示省略している。ＰＴＤ１０は、上記従来の携帯電話などの構成に加えて、ＣＰＵ１３に接続されたインターフェイス（Ｉ／Ｆ）１７を有している。このインターフェイス１７はＳＥ２０との通信を行うためのものである。
【００７５】
ＳＥ２０は、通常の非接触ＩＣカードなどが有する基本的機能を実行できるように、周知の非接触ＩＣカードと同様のアンテナと通信部を内蔵するインターフェイス（Ｉ／Ｆ）２４、ＣＰＵ２２、メモリ２３を有している。インターフェイス２４とメモリ２３はＣＰＵ２２に接続されている（実際の接続はバスラインやインターフェイスを介して行われる）。ＳＥ２０は、上記従来の非接触ＩＣカードなどの構成に加えて、ＣＰＵ２２に接続されたインターフェイス（Ｉ／Ｆ）２１を有している。このインターフェイス２１はＰＴＤ１０との通信を行うためのものである。また、従来のセキュアカードは、外部からの電波を受けてアンテナコイルで電磁誘導により発電して受動的に動作するよう構成されているので、バッテリを有さないことが一般的であるが、このＳＥ２０は、ＰＴＤ１０から図示省略の結線で電源の供給を受けている。したがって、後述するように能動的に動作することが可能である。また、必要に応じてＳＥ２０にバッテリを内蔵することも可能である。
【００７６】
ＳＥ２０はＰＴＤ１０のケーシング（図示省略）に対して固定的に設けることも、着脱可能に設けることもできる。ＰＴＤ１０とＳＥ２０の間の通信は、有線通信により行われる。したがって、ＳＥ２０が固定的な場合は、点線５０で示す接続ケーブルをインターフェイス１７とインターフェイス２１の間に設けることにより通信が行われる。一方、ＳＥ２０が着脱可能な場合は、着脱部にケーブル５０の接触部を設けて、ＳＥ２０がＰＴＤ１０のケーシングに取り付けられると、インターフェイス１７とインターフェイス２１が相互に接続されるよう構成することができる。
【００７７】
ＰＴＤ１０のメモリ１４と、ＳＥ２０のメモリ２３には、それぞれＣＰＵ１３、２２の動作を制御するＯＳやアプリケーションプログラムが格納されている。実際の動作では、これらのアプリケーションプログラムが起動されて様々な処理が行われる。図３中、ＳＥ２０とローカルサーバ３０との間は、至近距離無線通信電波（電磁誘導波）５２により、またＰＴＤ１０とキャリア４４の間は、セルラフォンシステム無線通信電波５４により、それぞれ通信が行われる。ＰＴＤ１０は送信部と受信部を有する通信部１２により周知のＴＣＰ／ＩＰなどの第１のプロトコルによりキャリア４４、インターネット４２を介してサーバ４０と通信を行い、またＰＴＤ１０とＳＥ２０は相互にインターフェイス１７、２１を介して第２のプロトコルにより通信を行い、さらにＳＥ２０とローカルサーバ３０は相互に周知のＩＳＯ１４４４３−Ｂなどの第３のプロトコルにより通信を行う。なお、第２のプロトコルとしては、従来から周知のプロトコルの中から適宜、適当なものを選択して用いることができる。例として、ＩＳＯ７８１６に規定するプロトコルを改変して用いることが可能である。
【００７８】
次に図４、図５により図３の第１の実施の形態の動作、すなわちハイブリッドな携帯通信端末７０を用いた要求処理方法について説明する。本発明は、交通機関、有料施設、チケット販売店、チケット販売機、ＰＯＳ端末を含む電子マネー、プリペイドカード、又は電子有価証券の電子決済を行うための決済端末からの処理要求を処理するものであるが、ここでは、ＳＥ２０が電子マネーであり、ローカルサーバ３０がスーパーなどのＰＯＳ端末であるものとして説明する。図４中、ローカルサーバ（Ｌｏｃａｌ  Ｓｅｒｖｅｒ）３０とＳＥ２０内の「非接触Ｉ／Ｆ」は、図３中のインターフェイス３１、２４に相当する。ＳＥ２０の「送信手段」と「受信手段」は、図３中のインターフェイス２１に相当する。ＰＴＤ１０の「送信手段」と「受信手段」は、図３中のインターフェイス１７に相当する。ＰＴＤ１０の「アプリ」、ＳＥ２０の「アプリ」、ローカルサーバ３０の「アプリ」は、それぞれ図３中のメモリ１４、２３、３３に格納されているアプリケーションプログラムに相当する。また、「Ｓｅｒｖｅｒ」は図３中のサーバ４０に相当する。いま、ＳＥ２０のアプリケーションプログラムには１回の買い物で最大５，０００円までの決済機能があるものとする。
【００７９】
いま、ユーザがＳＥ２０が搭載されたＰＴＤ１０を有して、スーパーで買い物をし、レジで決済するものとする。レジには、ローカルサーバ３０が配置されているので、ユーザはＳＥ２０を含むＰＴＤ１０をローカルサーバ３０のインターフェイス３１近傍に接近させる。この接近によりローカルサーバ３０は、▲１▼決済要求をＳＥ２０に送信する。決済要求はインターフェイス２４を介して受信され、ＣＰＵ２２は所定の解析により所定のアプリケーションプログラムをメモリ２３から読み出し起動する。買い物総額が５，０００円までの場合は、このアプリケーションプログラムにより支払い指示がなされ、インターフェイス２４を介してローカルサーバ３０に決済応答を行う。
【００８０】
一方、買い物総額が５，０００円を超えている場合は、ＳＥ２０のアプリケーションプログラムによる決済は行わず、▲２▼インターフェイス２１、１７を介してＰＴＤ１０に対して指定のアプリケーションプログラム（図３の例ではｉアプリ（ｉａｐｐ））を起動するよう求める。ＰＴＤ１０は、▲３▼この求めに対してＳＥ２０に対して応答（レスポンス）を行う。ＰＴＤ１０は、次いで決済してよいか否かをユーザに尋ねるべく所定の表示を表示部１５に行う。すなわちかかる表示を行うようＣＰＵ１３が動作する。この表示は、例えば、「買い物合計金額は、１５，８００円です。金額が５，０００円を超えていますので、自動決済はできません。支払いを了承する場合は、パスワードを入力して＃を押して下さい。了承しない場合は、０＃を押して下さい。」のように行われる。ユーザは、この指示に従い入力を行う。上記の例で０＃を押した場合は、決済は行わず、決済しない旨の通知がＳＥ２０を介してローカルサーバ３０に送られる。ここで、パスワードとしては、あらかじめＳＥ２０を入手（購入）するときに割り当てられたＰＩＮ（個人識別番号）を用いる。上記の例で、パスワードに続いて＃が押されると、▲４▼ＰＴＤ１０は所定の指示、すなわちＰＩＮ入力があったことをＳＥ２０に通知し、ＳＥ２０は、受領したＰＩＮが正しいか否かの認証を行い、▲５▼正しければＳＥ２０は、ローカルサーバ３０に対して所定の通知、すなわち決済を行う旨の決済情報の通知を送る。また、▲６▼ＳＥ２０は、上記▲４▼の通知を受けたことをＰＩＮ書き込みレスポンスとしてＰＴＤ１０に送る。なお、上記▲５▼と▲６▼の順序はどちらが先でもよい。
【００８１】
上記例では、ＰＴＤ１０はそのアプリケーションプログラムを起動してユーザによる支払いの承認を求めるものであったが、サーバ４０にインターネット４２経由でアクセスして承認を求めるよう構成することもできる。
【００８２】
次に図６、図７により図３の第１の実施の形態の動作、すなわちハイブリッドな携帯通信端末７０を用いた要求処理方法の他の例について説明する。この例では、上記図４、図５で説明した例と異なり、ＳＥ２０のアプリケーションプログラムを経由することなく、あたかもローカルサーバ３０から直接ＰＴＤ１０のアプリケーションプログラムにアクセスするよう動作する。いまハイブリッドな携帯通信端末７０を用いて電子チケットをローカルサーバ３０から購入する場合を例にとり説明する。
【００８３】
ユーザは、ＳＥ２０を含むＰＴＤ１０をローカルサーバ３０のインターフェイス３１近傍に接近させる。この接近によりローカルサーバ３０は、▲１▼電子チケットセキュア情報書き込み要求をＳＥ２０に送信する。電子チケットセキュア情報書き込み要求はインターフェイス２４を介して受信され、ＣＰＵ２２は所定の解析により所定のアプリケーションプログラムをメモリ２３から読み出し起動する。ここで電子チケットセキュア情報がメモリ２３に書き込まれる。▲２▼このアプリケーションプログラムは、電子チケットセキュア情報が書き込みされたことをローカルサーバ３０に通知すべく応答する。その後は、ＳＥ２０はローカルサーバ３０とＰＴＤ１０との間で、データがスルーとなる状態となる。すなわち、あたかもＳＥ２０がデータパスのトンネルとして動作するようにＣＰＵ２２がインターフェイス２１、２４を制御する。▲３▼次いで、ローカルサーバ３０はＳＥ２０をスルーしてＰＴＤ１０に電子チケットマルチメディアアプリケーションプログラムを指定してこれを起動させる。ＰＴＤ１０では、メモリ１４から電子チケットマルチメディアアプリケーションプログラムが読み出されて起動され、▲４▼その旨の応答がＳＥ２０をスルーしてローカルサーバ３０に送られる。▲５▼次いで、ローカルサーバ３０よりＳＥ２０をスルーしてＰＴＤ１０に電子チケットマルチメディア情報書き込み要求が送られ、▲７▼ＰＴＤ１０はＳＥ２０をスルーしてローカルサーバ３０に書き込み応答を行う。
【００８４】
上記例では、ＰＴＤ１０はそのアプリケーションプログラムを起動して電子チケットに関するデータ処理を行っているが、サーバ４０にインターネット４２経由でアクセスして更なるデータ処理を求めるよう構成することもできる。
【００８５】
＜第２の実施の形態＞
次に第２の実施の形態の基本形態に基づいた本発明のハイブリッドな携帯通信端末７０の第２の実施の形態を図８を用いて説明する。図８中、図３と同一の構成部分は、同一符号を付して説明を省略する。図８の第２の実施の形態は、図３の第１の実施の形態と次の点で相違する。第１の実施の形態では、ＳＥ２０に設けられたインターフェイス２４を用いて外部の通信端末であるローカルサーバ３０と通信をしているが、第２の実施の形態では、ＰＴＤ１０Ａにインターフェイス１８を設け、ローカルサーバ３０と至近距離での非接触通信を行うようにしている。第２の実施の形態のセキュアカードＳＥ２０Ａは、ローカルサーバ３０との通信インターフェイスを有さない点で第１の実施の形態と異なっている。その他の構成は図３と同様である。第２の実施の形態でも、ＳＥ２０ＡはＰＴＤ１０Ａから電源を供給されているが、必要に応じて独自の電源を有することもできる。ＰＴＤ１０Ａは通信部１２により周知の第１のプロトコルによりキャリア４４、インターネットを介してサーバ４０と通信を行い、またＰＴＤ１０ＡとＳＥ２０Ａは相互にインターフェイス１７、２１を介して第２のプロトコルにより通信を行い、さらにＰＴＤ１０Ａとローカルサーバ３０は相互に周知の第３のプロトコルにより通信を行う。なお、第２のプロトコルとしては、従来から周知のプロトコルの中から適宜適当なものを選択して用いることができる。なお、第２の実施の形態における第１〜第３のプロトコルとしては、第１の実施の形態の第１〜第３のプロトコルをそのまま用いることができる。
【００８６】
次に図９、図１０により図８の第２の実施の形態の動作、すなわちハイブリッドな携帯通信端末７０を用いた要求処理方法について説明する。上記第１の実施の形態で説明したようにいま、ユーザがＳＥ２０Ａが搭載されたＰＴＤ１０Ａを有して、スーパーで買い物をし、レジで決済するものとする。レジには、ローカルサーバ３０が配置されているので、ユーザはＳＥ２０Ａを含むＰＴＤ１０Ａをローカルサーバ３０のインターフェイス３１近傍に接近させる。この接近によりローカルサーバ３０は、▲１▼決済要求をＰＴＤ１０Ａを介してＳＥ２０Ａに送信する。決済要求はインターフェイス２１を介して受信され、ＣＰＵ２２は所定の解析により所定のアプリケーションプログラムをメモリ２３から読み出し起動する。買い物総額が５，０００円までの場合は、このアプリケーションプログラムにより支払い指示がなされ、インターフェイス２１とＰＴＤ１０Ａのインターフェイス１７、ＣＰＵ１３、インターフェイス１８を介してローカルサーバ３０に決済応答を行う。
【００８７】
一方、買い物総額が５，０００円を超えている場合は、ＳＥ２０Ａのアプリケーションプログラムによる決済は行わず、▲２▼ＳＥ２０Ａはインターフェイス２１、１７を介してＰＴＤ１０Ａに対して指定のアプリケーションプログラム（図９の例ではｉアプリ）を起動するよう求める。ＰＴＤ１０Ａは、▲３▼この求めに対してＳＥ２０Ａに対して応答（レスポンス）を行う。ＰＴＤ１０Ａは、次いで決済してよいか否かをユーザに尋ねるべく所定の表示を表示部１５に行う。すなわちかかる表示を行うようＣＰＵ１３が動作する。この表示は、例えば、「買い物合計金額は、１５，８００円です。金額が５，０００円を超えていますので、自動決済はできません。支払いを了承する場合は、パスワードを入力して＃を押して下さい。了承しない場合は、０＃を押して下さい。」のように行われる。ユーザは、この指示に従い入力を行う。上記の例で０＃を押した場合は、決済は行わず、決済しない旨の通知がＳＥ２０Ａを介してローカルサーバ３０に送られる。ここで、パスワードとしては、あらかじめＳＥ２０Ａを入手（購入）するときに割り当てられたＰＩＮ（個人識別番号）を用いる。上記の例で、パスワードに続いて＃が押されると、▲４▼ＰＴＤ１０は所定の指示、すなわちＰＩＮ入力があったことをＳＥ２０Ａに通知し、ＳＥ２０Ａは、受領したＰＩＮが正しいか否かの認証を行い、▲５▼正しければＳＥ２０Ａは、ＰＴＤ１０Ａをスルーしてローカルサーバ３０に対して所定の通知、すなわち決済を行う旨の決済情報の通知を送る。また、▲６▼ＳＥ２０Ａは、上記▲４▼の通知を受けたことをＰＩＮ書き込みレスポンスとしてＰＴＤ１０Ａに送る。なお、上記▲５▼と▲６▼の順序はどちらが先でもよい。
【００８８】
上記例では、ＰＴＤ１０Ａは、そのアプリケーションプログラムを起動してユーザによる支払いの承認を求めるものであったが、サーバ４０にインターネット４２経由でアクセスして承認を求めるよう構成することもできる。
【００８９】
次に図１１、図１２により図８の第２の実施の形態の動作、すなわちハイブリッドな携帯通信端末７０を用いた要求処理方法の他の例について説明する。この例では、上記図９、図１０で説明した例と異なり、ＳＥ２０Ａのアプリケーションプログラムを経由することなく、あたかもローカルサーバ３０から直接ＰＴＤ１０Ａのアプリケーションプログラムにアクセスするよう動作する。いまハイブリッドな携帯通信端末７０を用いて電子チケットをローカルサーバ３０から購入する場合を例にとり説明する。
【００９０】
ユーザは、ＳＥ２０Ａを含むＰＴＤ１０Ａをローカルサーバ３０のインターフェイス３１近傍に接近させる。この接近によりローカルサーバ３０は、▲１▼電子チケットセキュア情報書き込み要求をＰＴＤ１０Ａに送信する。電子チケットセキュア情報書き込み要求はインターフェイス１８を介して受信され、ＣＰＵ１３は電子チケットセキュア情報書き込み要求をＰＴＤ１０ＡをスルーしてＳＥ２０Ａに送る。▲２▼ＳＥ２０Ａは、ＰＴＤ１０Ａをスルーしてローカルサーバ３０に書き込みされたことを通知すべく応答する。その後は、ローカルサーバ３０とＰＴＤ１０Ａとの間で通信が行われ、▲３▼次いで、ローカルサーバ３０は、ＰＴＤ１０Ａに電子チケットマルチメディアアプリケーションプログラムを指定してこれを起動させる。ＰＴＤ１０Ａでは、メモリ１４から電子チケットマルチメディアアプリケーションプログラムが読み出されて起動され、▲４▼その旨の応答がローカルサーバ３０に送られる。▲５▼次いで、ローカルサーバ３０よりＰＴＤ１０Ａに電子チケットマルチメディア情報書き込み要求が送られ、▲７▼ＰＴＤ１０Ａはローカルサーバ３０に書き込み応答を行う。
【００９１】
上記例では、ＰＴＤ１０Ａはそのアプリケーションプログラムを起動して電子チケットに関するデータ処理を行っているが、サーバ４０にインターネット４２経由でアクセスして更なるデータ処理を求めるよう構成することもできる。
【００９２】
上記第２の実施の形態では、ローカルサーバ３０と直接通信を行うのは、図８に示すようにＳＥ２０Ａではなく、ＰＴＤ１０Ａであるから、ＰＴＤ１０Ａの電源がオフのときは、ローカルサーバ３０と通信を行うことができない。これに対し、前述の第１の実施の形態では、図３に示すように、ローカルサーバ３０と直接通信を行うのは、ＳＥ２０であるから、ＰＴＤ１０の電源がオフであっても、ローカルサーバ３０と通信を行うことが可能であり、パスワード（ＰＩＮ）入力の不要な決済のときなどは、ＰＴＤ１０の電源がオフ状態のままで決済を完了することができる。
【００９３】
なお、本発明は上記実施の形態の構成や動作に限定されるものではなく、次のように変形を行うことができる。すなわち外部の通信端末からの処理要求が、交通機関、有料施設、チケット販売店、チケット販売機、ＰＯＳ端末を含む電子マネー、プリペイドカード、又は電子有価証券の電子決済を行うための決済端末からの処理要求のいずれかとすることができる。また、外部の通信端末との通信時に、ＳＥが付加情報を受信するステップをさらに有し、受信した前記付加情報をＰＴＤに送り、ＰＴＤの制御支配下にある表示装置によりユーザに提供するよう構成することは、本発明の好ましい態様である。また、外部の通信端末との通信時に、ＰＴＤが付加情報を受信するステップをさらに有し、受信した前記付加情報をＰＴＤの制御支配下にある表示装置によりユーザに提供するよう構成することは、本発明の好ましい態様である。
【００９４】
また、外部の通信端末との通信で所定の決済が終了した後に、ＳＥが電子レシートを受信するステップをさらに有し、受信した電子レシートをＰＴＤに送りＰＴＤの制御支配下にある表示装置によりユーザに提供するよう構成することは、本発明の好ましい態様である。また、外部の通信端末との通信で所定の決済が終了した後に、ＰＴＤが電子レシートを受信するステップをさらに有し、受信した電子レシートをＰＴＤの制御支配下にある表示装置によりユーザに提供するよう構成することは、本発明の好ましい態様である。
【００９５】
また、外部の通信端末がパソコンであり、パソコンとの通信時に、ＳＥがＰＩＭ（パーソナル・インフォーメーション・マネージャー）情報を受信するステップをさらに有し、受信したＰＩＭ情報をＰＴＤに送り、ＰＴＤの制御支配下にある表示装置によりユーザに提供するよう構成することは、本発明の好ましい態様である。また、外部の通信端末がパソコンであり、パソコンとの通信時に、ＰＴＤがＰＩＭ情報を受信するステップをさらに有し、受信したＰＩＭ情報をＰＴＤの制御支配下にある表示装置によりユーザに提供するよう構成することは、本発明の好ましい態様である。
【００９６】
また、外部の通信端末が家電機器であり、家電機器との通信時に、ＳＥが家電機器の制御情報を受信するステップと、家電機器を制御する制御コマンドを家電機器に送信するステップとをさらに有し、受信した制御情報をＰＴＤに送り、ＰＴＤの制御支配下にある表示装置によりユーザに提供するととともに、ユーザから与えられた指示に従って所定の前記制御コマンドを家電機器に送信するよう構成することは、本発明の好ましい態様である。また、外部の通信端末が家電機器であり、家電機器との通信時に、ＰＴＤが家電機器の制御情報を受信するステップと、家電機器を制御する制御コマンドを家電機器に送信するステップとをさらに有し、受信した制御情報をＰＴＤの制御支配下にある表示装置によりユーザに提供するとともに、ユーザから与えられた指示に従って所定の制御コマンドを家電機器に送信するよう構成することは、本発明の好ましい態様である。
【００９７】
上記各実施の形態の拡張例について次に説明する。図１３は、第１の実施の形態の拡張例を示す構成図である。この拡張例では、他のセキュアカード６０との通信を行うためのインターフェイス（Ｉ／Ｆ）２６がＳＥ２０のＣＰＵ２２に接続されている。換言すると、インターフェイス（Ｉ／Ｆ）２６は非接触ＩＣカードのリーダ／ライタの機能を有する。したがって、セキュアカード６０との通信によりデータの授受が可能となり、例えばＳＥ２０がプリペイドカードであるとき、その残高が減少したときに、新たなセキュアカード６０から電子マネーデータを転送して、残高を増加させることなどができる。
【００９８】
図１４は、第２の実施の形態の拡張例を示す構成図である。この拡張例では、他のセキュアカード６０との通信を行うためのインターフェイス（Ｉ／Ｆ）１９がＰＴＤ１０ＡのＣＰＵ１３に接続されている。したがって、インターフェイス（Ｉ／Ｆ）１９は、非接触ＩＣカードのリーダ／ライタとして機能し、セキュアカード６０との通信によりデータの授受が可能となり、上記第１の実施の形態の拡張例と同様の残高補填などが可能となる。
【００９９】
本発明によれば、特許請求の範囲の各請求項に記載した発明はさらに具体的に下記に記載される発明としても把握することができる。
【０１００】
第１のプロトコルによりセルラフォンシステムを介してインターネットに接続して、所望のサーバとの間での通信が可能な第１通信手段と、第２のプロトコルにより通信を行う第２通信手段と、所定のアプリケーションプログラムが格納されている第１記憶手段と、前記第１通信手段、前記第２通信手段及び前記第１記憶手段を制御する第１制御手段とを有する携帯端末と、
前記第２のプロトコルにより前記携帯端末と通信を行う第３通信手段と、第３のプロトコルにより外部の通信端末と至近距離での非接触通信を行う第４通信手段と、所定のアプリケーションプログラムが格納されている第２記憶手段と、前記第３通信手段、前記第４通信手段及び前記第２記憶手段を制御する第２制御手段とを有するセキュアカード端末と、
前記セキュアカード端末を前記携帯端末に着脱可能にあるいは固定的に接続する手段とを有するハイブリッドな携帯通信端末。
【０１０１】
第１のプロトコルによりセルラフォンシステムを介してインターネットに接続して、所望のサーバとの間での通信が可能な第１通信手段と、第２のプロトコルにより通信を行う第２通信手段と、第３のプロトコルにより外部の通信端末と至近距離での非接触通信を行う第３通信手段と、所定のアプリケーションプログラムが格納されている第１記憶手段と、前記第１通信手段、前記第２通信手段、前記第３通信手段及び前記第１記憶手段を制御する第１制御手段とを有する携帯端末と、
前記第２のプロトコルにより前記携帯端末と通信を行う第４通信手段と、所定のアプリケーションプログラムが格納されている第２記憶手段と、前記第４通信手段及び前記第２記憶手段を制御する第２制御手段とを有するセキュアカード端末と、
前記セキュアカード端末を前記携帯端末に着脱可能にあるいは固定的に接続する手段とを、
有するハイブリッドな携帯通信端末。
【０１０２】
前記第３通信手段が、電磁誘導による通信を可能とするコイルアンテナを有している段落１００又は１０１に記載のハイブリッドな携帯通信端末。
【０１０３】
前記第２制御手段に接続され、他のセキュアカードとの通信を行うためのインターフェイスをさらに有する段落１００に記載のハイブリッドな携帯通信端末。
【０１０４】
前記第１制御手段に接続され、他のセキュアカードとの通信を行うためのインターフェイスをさらに有する段落１０１に記載のハイブリッドな携帯通信端末。
【０１０５】
セルラフォンシステムを含む複数の異なる通信手段を制御する第１制御部と、至近距離通信手段を含む他の複数の異なる通信手段を制御する第２制御部とを有するハイブリッドな携帯通信端末により外部の通信端末からの要求を処理する方法であって、
前記第２制御部が前記外部の通信端末と至近距離での非接触通信を行い、前記外部の通信端末から所定の処理要求を受け付けるステップと、
前記第２制御部により前記所定の処理要求を処理するための第２アプリケーションプログラムを起動し、前記第２アプリケーションプログラムにより処理できるか否かを判断するステップと、
前記第２アプリケーションプログラムで処理できるときは、前記第２制御部により処理を行い、その結果を前記外部の通信端末に通知するステップと、
前記第２アプリケーションプログラムで処理できないときは、前記第２制御部の指示により前記第１制御部に対して第１アプリケーションプログラムを起動するための指示を送るステップと、
前記第１制御部は前記第２制御部からの前記指示を受けると前記第２制御部に対して応答を返すステップと、
前記第１制御部はユーザに対して所定の通知を行うステップと、
前記所定の通知に応答して前記ユーザが出した所定の指示を前記第１制御部で受け付けるステップと、
前記第１制御部が前記所定の指示を受け付けたことを前記第２制御部に通知するステップと、
前記第１制御部からの通知を受けたとき、前記第２制御部がその旨を前記外部の通信端末に前記非接触通信により通知するステップと、
前記第２制御部が前記外部の通信端末に前記通知をすること、あるいは前記通知をしたことを前記第１制御部に通知するステップとを、
有する要求処理方法。
【０１０６】
セルラフォンシステムを含む複数の異なる通信手段を制御する第１制御部と、至近距離通信手段を含む他の複数の異なる通信手段を制御する第２制御部とを有するハイブリッドな携帯通信端末により外部の通信端末からの要求を処理する方法であって、
前記第１制御部が前記外部の通信端末と至近距離での非接触通信を行い、前記外部の通信端末から所定の処理要求が送信されたときは、前記所定の処理要求を前記第２制御部に送るステップと、
前記第２制御部により前記所定の処理要求を処理するための第２アプリケーションプログラムを起動し、前記第２アプリケーションプログラムにより処理できるか否かを判断するステップと、
前記第２アプリケーションプログラムで処理できるときは、前記第２制御部により処理を行い、その結果を前記第１の制御部を介して前記外部の通信端末に通知するステップと、
前記第２アプリケーションプログラムで処理できないときは、前記第２制御部の指示により前記第１制御部に対して第１アプリケーションプログラムを起動するための指示を送り、前記第１制御部は、その結果を前記第２制御部に通知するステップと、
その後、前記第１制御部はユーザに対して所定の通知を行うステップと、
前記所定の通知に応答して前記ユーザが出した所定の指示を前記第１制御部で受け付けるステップと、
前記第１制御部が前記所定の指示を受け付けたことを前記第２制御部に通知するステップと、
前記第１制御部からの通知を受けたとき、その旨を前記第２制御部が前記第１制御部を介して前記外部の通信端末に前記非接触通信により通知するステップと、
前記第１制御部からの前記通知を受けたとき、前記通知を受けた旨を前記第２制御部に通知するステップとを、
有する要求処理方法。
【０１０７】
セルラフォンシステムを含む複数の異なる通信手段を制御する第１制御部と、至近距離通信手段を含む他の複数の異なる通信手段を制御する第２制御部とを有するハイブリッドな携帯通信端末により外部の通信端末からの要求を処理する方法であって、
前記第２制御部が前記外部の通信端末と至近距離での非接触通信を行い、前記外部の通信端末から所定の処理要求を受け付けるステップと、
前記第２制御部により前記所定の処理要求を処理するための第２アプリケーションプログラムを起動し、前記第２アプリケーションプログラムにより処理できるか否かを判断するステップと、
前記第２アプリケーションプログラムで処理できるときは、前記第２制御部により処理を行い、その結果を前記外部の通信端末に通知するステップと、
前記第２アプリケーションプログラムで処理できないときは、前記外部の通信端末から前記第２制御部をスルーして前記第１制御部に対して第１アプリケーションプログラムを起動するための指示を送るステップと、
前記第１制御部は前記外部の通信端末からの前記指示を受けると前記第２制御部をスルーして前記外部の通信端末に対して応答を返すステップと、
前記外部の通信端末は、前記第２制御部をスルーして前記第１制御部に所定の要求を行うステップと、
前記所定の要求に応答して前記第１制御部は、前記第２制御部をスルーして前記外部の通信端末に応答を行うステップとを、
有する要求処理方法。
【０１０８】
セルラフォンシステムを含む複数の異なる通信手段を制御する第１制御部と、至近距離通信手段を含む他の複数の異なる通信手段を制御する第２制御部とを有するハイブリッドな携帯通信端末により外部からの要求を処理する方法であって、
前記第１制御部が前記外部の通信端末と至近距離での非接触通信を行い、前記外部の通信端末から所定の処理要求が送信されたときは、前記所定の処理要求を前記第１制御部をスルーして前記第２制御部に送るステップと、
前記第２制御部により前記所定の処理要求を処理するための第２アプリケーションプログラムを起動し、前記第２アプリケーションプログラムにより処理できるか否かを判断するステップと、
前記第２アプリケーションプログラムで処理できるときは、前記第２制御部により処理を行い、その結果を前記第１制御部をスルーして前記外部の通信端末に通知するステップと、
前記第２アプリケーションプログラムで処理できないときは、前記第１制御部をスルーして、その旨を前記外部の通信端末に通知するステップと、
前記第２アプリケーションプログラムで処理できないことが通知されたとき、前記外部の通信端末は、前記第１制御部に対して第１アプリケーションプログラムを起動するための指示を送るステップと、
前記指示を受けた前記第１制御部は、指示を受けたことを通知する応答を前記外部の通信端末に送るステップと、
前記外部の通信端末は、前記第１制御部に対して所定の要求を送信するステップと、
前記第１制御部は、前記所定要求を受信した旨を前記外部の通信端末に応答するステップとを、
有する要求処理方法。
【０１０９】
前記第１制御部が、前記第１アプリケーションプログラムによりインターネット経由で所定のサーバと通信を行い、所定の処理を行うよう構成されている段落１０５から１０８のいずれか１つに記載の要求処理方法。
【０１１０】
前記第１制御部が前記ユーザに対して行う前記所定の通知が、携帯電話の表示装置に所定の表示を行うことにより実行される段落１０５から１０９のいずれか１つに記載の要求処理方法。
【０１１１】
前記ユーザが出した所定の指示を前記第１制御部で受け付けるステップが、携帯電話の操作ボタンの操作状況を検出することにより行われる段落１０５又は１０７に記載の要求処理方法。
【０１１２】
前記外部からの処理要求が、交通機関、有料施設、チケット販売店、チケット販売機、ＰＯＳ端末を含む電子マネー、プリペイドカード、又は電子有価証券の電子決済を行うための決済端末からの処理要求である段落１０５から１１１のいずれか１つに記載の要求処理方法。
【０１１３】
前記外部の通信端末との通信時に、前記第２制御部が付加情報を受信するステップをさらに有し、受信した前記付加情報を前記第１制御部に送り、前記第１制御部の制御支配下にある表示装置により前記ユーザに提供するよう構成されている段落１０５又は１０７に記載の要求処理方法。
【０１１４】
前記外部の通信端末との通信時に、前記第１制御部が付加情報を受信するステップをさらに有し、受信した前記付加情報を前記第１制御部の制御支配下にある表示装置により前記ユーザに提供するよう構成されている段落１０６又は１０８に記載の要求処理方法。
【０１１５】
前記外部の通信端末との通信で所定の決済が終了した後に、前記第２制御部が電子レシートを受信するステップをさらに有し、受信した前記電子レシートを前記第１制御部に送り、前記第１制御部の制御支配下にある表示装置により前記ユーザに提供するよう構成されている段落１０５又は１０７に記載の要求処理方法。
【０１１６】
前記外部の通信端末との通信で所定の決済が終了した後に、前記第１制御部が電子レシートを受信するステップをさらに有し、受信した前記電子レシートを前記第１制御部の制御支配下にある表示装置により前記ユーザに提供するよう構成されている段落１０６又は１０８に記載の要求処理方法。
【０１１７】
前記外部の通信端末がパソコンであり、前記パソコンとの通信時に、前記第２制御部がＰＩＭ情報を受信するステップをさらに有し、受信した前記ＰＩＭ情報を前記第１制御部に送り、前記第１制御部の制御支配下にある表示装置により前記ユーザに提供するよう構成されている段落１０５又は１０７に記載の要求処理方法。
【０１１８】
前記外部の通信端末がパソコンであり、前記パソコンとの通信時に、前記第１制御部がＰＩＭ情報を受信するステップをさらに有し、受信した前記ＰＩＭ情報を前記第１制御部の制御支配下にある表示装置により前記ユーザに提供するよう構成されている段落１０６又は１０８に記載の要求処理方法。
【０１１９】
前記外部の通信端末が家電機器であり、前記家電機器との通信時に、前記第２制御部が前記家電機器の制御情報を受信するステップと、前記家電機器を制御する制御コマンドを前記家電機器に送信するステップとをさらに有し、受信した前記制御情報を前記第１制御部に送り、前記第１制御部の制御支配下にある表示装置により前記ユーザに提供するとともに、前記ユーザから与えられた指示に従って所定の前記制御コマンドを前記家電機器に送信するよう構成されている段落１０５又は１０７に記載の要求処理方法。
【０１２０】
前記外部の通信端末が家電機器であり、前記家電機器との通信時に、前記第１制御部が前記家電機器の制御情報を受信するステップと、前記家電機器を制御する制御コマンドを前記家電機器に送信するステップとをさらに有し、受信した前記制御情報を前記第１制御部の制御支配下にある表示装置により前記ユーザに提供するとともに、前記ユーザから与えられた指示に従って所定の前記制御コマンドを前記家電機器に送信するよう構成されている段落１０６又は１０８に記載の要求処理方法。
【０１２１】
【発明の効果】
以上の説明から明らかなように、本発明によれば、異なる通信方式の端末を組み合わせた情報処理装置（ハイブリッドな携帯通信端末など）により、第２の機器（携帯電話など）が有するアプリケーションプログラムと、外部の通信端末と至近距離での非接触通信を行うことにより様々なデータ処理を行う第１の機器（セキュアカード端末など）のアプリケーションプログラムとを連携して使用したり、必要に応じてこれらのアプリケーションプログラムを選択的に使用することを可能とするので、セキュリティの高い環境下で、高速なデータ処理の授受やデータの処理が可能となり、従来の携帯端末や非接触ＩＣカードなどを単独に用いたり、単に組み合わせて使用した場合の非能率性や操作の煩雑さを解消することができるという優れた効果を有する。
【図面の簡単な説明】
【図１】本発明の情報処理装置の第１の実施の形態の基本構成を示すブロック図
【図２】本発明の情報処理装置の第２の実施の形態の基本構成を示すブロック図
【図３】本発明の情報処理装置の具体例としてのハイブリッド携帯通信端末の第１の実施の形態を示す構成図
【図４】本発明の第１の実施の形態の動作、すなわちハイブリッド携帯通信端末を用いた要求処理方法を説明する模式図
【図５】図４の模式図で示される要求処理方法の手順を示すシーケンスチャート
【図６】本発明の第１の実施の形態の動作、すなわちハイブリッド携帯通信端末を用いた要求処理方法の他の例を説明する模式図
【図７】図６の模式図で示される要求処理方法の他の例の手順を示すシーケンスチャート
【図８】本発明の情報処理装置の具体例としてのハイブリッド携帯通信端末の第２の実施の形態を示す構成図
【図９】本発明の第２の実施の形態の動作、すなわちハイブリッド携帯通信端末を用いた要求処理方法を説明する模式図
【図１０】図９の模式図で示される要求処理方法の手順を示すシーケンスチャート
【図１１】本発明の第２の実施の形態の動作、すなわちハイブリッド携帯通信端末を用いた要求処理方法の他の例を説明する模式図
【図１２】図１１の模式図で示される要求処理方法の他の例の手順を示すシーケンスチャート
【図１３】本発明の第１の実施の形態の拡張例を示す構成図
【図１４】本発明の第２の実施の形態の拡張例を示す構成図
【符号の説明】
１０、１０Ａ  ＰＴＤ（第１の機器：個人信託装置：携帯端末）
１１  アンテナ
１２  通信部
１３、２２、３２  ＣＰＵ（中央演算処理装置）
１４、２３、３３  メモリ
１５  表示部
１６  操作部
１７、１８、１９、２１、２４、２６、３１  インターフェイス（Ｉ／Ｆ）
２０、２０Ａ  ＳＥ（第２の機器：セキュアカード端末）
３０  ローカルサーバ（外部の通信端末）
４０  サーバ
４２  インターネット
４４  キャリア
５０  通信ケーブル
５２  至近距離無線通信電波
５４  セルラフォンシステム無線通信電波
６０  他のセキャアカード
７０  情報処理装置（ハイブリッド携帯通信端末）
【図１】
2004193808.tif 000003
【図２】
2004193808.tif 000004
【図３】
2004193808.tif 000005
【図４】
2004193808.tif 000006
【図５】
2004193808.tif 000007
【図６】
2004193808.tif 000008
【図７】
2004193808.tif 000009
【図８】
2004193808.tif 000010
【図９】
2004193808.tif 000011
【図１０】
2004193808.tif 000012
【図１１】
2004193808.tif 000013
【図１２】
2004193808.tif 000014
【図１３】
2004193808.tif 000015
【図１４】
2004193808.tif 000016